(57)【要約】【課題】個人のメンタル状況を適切に把握することを目的とするものである。【解決手段】口腔内の細菌数をカウントする細菌カウンタ１と、この細菌カウンタから細菌数が伝送される携帯端末２と、この携帯端末から細菌数が伝送される管理端末３と、を備え、前記管理端末３は、前記携帯端末２を介して伝送される細菌数を時系列的に表示させる構成とした。  すなわち、本発明であれば、個人のメンタル状況によって変動する口腔内の細菌数を細菌カウンタによってカウントし、これを携帯端末を介して管理端末に伝送し、管理端末に細菌数を時系列的に表示させるので、この管理端末の表示を確認すれば、個人のメンタル状況を適切に把握することができるのである。【選択図】図１
2015011489.tif 000002
【特許請求の範囲】
【請求項１】
口腔内の細菌数をカウントする細菌カウンタと、この細菌カウンタから細菌数が伝送される携帯端末と、この携帯端末から細菌数が伝送される管理端末と、を備え、
前記管理端末は、前記携帯端末を介して伝送される細菌数を時系列的に表示させる構成としたメンタルヘルス管理支援システム。
【請求項２】
前記管理端末は、携帯端末にメンタルヘルスメッセージを返信可能な構成とした請求項１に記載のメンタルヘルス管理支援システム。
【請求項３】
管理端末または、サーバには、細菌数測定者のＩＤデータが保存された構成とした請求項１または２に記載のメンタルヘルス管理支援システム。
【請求項４】
ＩＤデータには、本人の嗜好データが登録された構成とした請求項１から３のいずれか一つに記載のメンタルヘルス管理支援システム。
【請求項５】
管理端末または、サーバは、本人の嗜好データを基に、メンタルヘルスメッセージを作成する構成とした請求項４に記載のメンタルヘルス管理支援システム。
【請求項６】
口腔内の細菌数をカウントする細菌カウンタと、この細菌カウンタから細菌数が伝送される携帯端末と、この携帯端末から細菌数が伝送されるサーバと、このサーバに接続される管理端末と、を備え、
前記管理端末は、前記携帯端末を介して伝送される細菌数を時系列的に表示させる構成としたメンタルヘルス管理支援システム。
【請求項７】
前記管理端末は、携帯端末にメンタルヘルスメッセージを返信可能な構成とした請求項６に記載のメンタルヘルス管理支援システム。
【請求項８】
管理端末または、サーバには、細菌数測定者のＩＤデータが保存された構成とした請求項６または７に記載のメンタルヘルス管理支援システム。
【請求項９】
ＩＤデータには、本人の嗜好データが登録された構成とした請求項６から８のいずれか一つに記載のメンタルヘルス管理支援システム。
【請求項１０】
管理端末または、サーバは、本人の嗜好データを基に、メンタルヘルスメッセージを作成する構成とした請求項９に記載のメンタルヘルス管理支援システム。
【請求項１１】
請求項１から５のいずれか一つに記載のメンタルヘルス管理支援システムを用いたメンタルヘルス管理支援方法であって、先ず、細菌カウンタによって口腔内の細菌数をカウントし、次に、この細菌カウンタから携帯端末に細菌数を伝送させ、その後、この携帯端末から管理端末に細菌数を伝送させ、次に、この管理端末によって細菌数を時系列的に表示させるメンタルヘルス管理支援方法。
【請求項１２】
請求項６から１０のいずれか一つに記載のメンタルヘルス管理支援システムを用いたメンタルヘルス管理支援方法であって、先ず、細菌カウンタによって口腔内の細菌数をカウントし、次に、この細菌カウンタから携帯端末に細菌数を伝送させ、その後、この携帯端末からサーバに細菌数を伝送させ、このサーバによって細菌数を時系列的に集計し、次に、このサーバから管理端末に集計されたデータを伝送し、その後、この管理端末に細菌数を時系列的に表示させるメンタルヘルス管理支援方法。
【発明の詳細な説明】
【技術分野】
【０００１】
本発明は、メンタルヘルス管理支援システムおよび、それを用いたメンタルヘルス管理支援方法に関するものである。
【背景技術】
【０００２】
近年、メンタルヘルス管理の重要性が注目されており、学校や職場において各種の取り組みが行われている。
【０００３】
例えば、各人に支給された端末の起動時間や操作状況を管理者の端末で確認し、分析し、その個人のメンタルヘルス管理を行うようにしている。
【０００４】
具体的には、起動時間がばらついたり、操作状況が不安定になったりしていることから、その個人のメンタル状況を確認するようにしているのである（これに類似する先行文献としては例えば下記特許文献１）。
【先行技術文献】
【特許文献】
【０００５】
【特許文献１】特開２０１１−２１００１８号公報
【発明の概要】
【発明が解決しようとする課題】
【０００６】
上記従来例で課題となるのは、個人のメンタル状況を適切に把握することが難しいということである。
【０００７】
すなわち、端末の起動や操作状態は、その日の授業や業務によって大きく異なるので、これらを検出しただけでは、適切に個人のメンタル状況を適切に把握することが難しいのであった。
【０００８】
そこで本発明は、個人のメンタル状況を適切に把握することを目的とするものである。
【課題を解決するための手段】
【０００９】
そして、この目的を達成するために本発明は、口腔内の細菌数をカウントする細菌カウンタと、この細菌カウンタから細菌数が伝送される携帯端末と、この携帯端末から細菌数が伝送される管理端末と、を備え、前記管理端末は、前記携帯端末を介して伝送される細菌数を時系列的に表示させる構成とし、これにより所期の目的を達成するものである。
【発明の効果】
【００１０】
以上のように本発明は、口腔内の細菌数をカウントする細菌カウンタと、この細菌カウンタから細菌数が伝送される携帯端末と、この携帯端末から細菌数が伝送される管理端末と、を備え、前記管理端末は、前記携帯端末を介して伝送される細菌数を時系列的に表示させる構成としたので、個人のメンタル状況を適切に把握することができる。
【００１１】
すなわち、本発明であれば、個人のメンタル状況によって変動する口腔内の細菌数を細菌カウンタによってカウントし、これを携帯端末を介して管理端末に伝送し、管理端末に細菌数を時系列的に表示させるので、この管理端末の表示を確認すれば、個人のメンタル状況を適切に把握することができるのである。
【図面の簡単な説明】
【００１２】
【図１】本発明の一実施形態にかかるメンタルヘルス管理支援システムの構成図
【図２】同、微生物数測定装置の動作状態を示す断面図
【図３】同、微生物数測定装置の制御ブロック図
【図４】同、微生物数測定装置の測定チップの正面図
【図５】同、携帯端末の制御ブロック図
【図６】同、管理端末の制御ブロック図
【図７】同、メンタルヘルス管理支援方法のフローチャート
【図８】同、メンタルヘルス管理支援方法のフローチャート
【図９】同、管理端末の表示画面を示す図
【図１０】同、携帯端末の表示画面を示す図
【図１１】同、メンタルヘルス管理支援システムの構成図
【図１２】同、サーバの制御ブロック図
【図１３】一日の口腔内の細菌数の変化を示す図
【図１４】細菌カウンタの操作手順を示す図
【発明を実施するための形態】
【００１３】
（実施の形態１）
以下、本発明の一実施形態を、添付図面を用いて説明する。
図１は、本発明の実施形態１を示し、口腔内の細菌数をカウントする細菌カウンタ１と、この細菌カウンタ１から細菌数が伝送される携帯端末２と、この携帯端末２から細菌数が伝送される管理端末３とを備えている。
【００１４】
この内、細菌カウンタ１は、学生や会社員の個人に貸与され、各自が自宅にて口腔内の細菌数をカウントすることができるようになっている。
【００１５】
また、携帯端末２も個人所有のもので、細菌カウンタ１でカウントされた口腔内の細菌数は、この携帯端末２に例えばブルートゥース（登録商標）によって伝送される。
【００１６】
そして、携帯端末２から管理端末３へは、電話回線を通じて細菌カウンタ１でカウントされた口腔内の細菌数が伝送されるようになっている。
【００１７】
前記細菌カウンタ１は、本願特許出願人が、例えばＷＯ２０１２／０２９２７３  Ａ１等で既に出願している構成のものであるので、説明の煩雑化を避けるために、簡単に説明する。
【００１８】
健康管理対象者は、朝の起床時（朝食や口腔ケアの前）に、細菌カウンタ１で口腔内の細菌数を測定する。
【００１９】
健康管理対象者は、先ず図２に示す細菌採取具４の下端に設けた採取部５で舌上をなぞり、次に、細菌採取具４の採取部５を容器６に差し込んで保持させる。その後、細菌採取具４を、たとえば右手で保持し、図３の操作部７を操作すると、モータ８の回転により容器６が回転する。この回転により、容器６の溶出突起（図示せず）が採取部５に連続的に当接し、採取部５内の細菌が容器６内の純水へと溶出させられる。
【００２０】
この溶出動作の終了後、健康管理対象者は細菌採取具４を容器６から上方へと摘み出す。
【００２１】
次に、図４の測定チップ９を、図２に示すごとく、細菌カウンタ１に装着し、前面カバー１０を回動させ、下方に下げれば、測定チップ９の測定電極１１（図４）が容器６の純水内に浸漬された状態となる。
【００２２】
その後、操作部７を操作すると、制御部１２は測定部１３を用いて電源部１４から測定電極１１に電圧を印加し、測定部１３によって純水内の細菌数が測定され、この細菌数が表示部１５に表示されることになる。
【００２３】
以上の構成において、計測された健康管理対象者の細菌数は、細菌カウンタ１の通信部１６を介して、携帯端末２の通信部１７ａに例えばブルートゥース（登録商標）によって送信される。
【００２４】
図５に携帯端末２の制御ブロック図を示す。
【００２５】
細菌カウンタ１の通信部１６から送信された細菌数のデータは、携帯端末２の通信部１７ａより制御部１８に入力される。制御部１８では、その細菌数のデータを記憶部１９に格納しながら、表示部２０に、通信中のメッセージを表示する。制御部１８では、この細菌数のデータを通信部１７ａを介して、管理端末３に電話回線によって伝送する。
【００２６】
図６に管理端末３の制御ブロック図を示す。
【００２７】
携帯端末２の通信部１７ａから送信された細菌数のデータは、管理端末３の通信部２１より制御部２２に入力される。制御部２２では、その細菌数のデータを記憶部２３に格納する。そして、健康管理者は、入力部２４から操作を行い、その操作指示に従って、制御部２２は、記憶部２３に格納された細菌数のデータの集計を行い、図９に示すような、健康管理対象者の細菌数の推移トレンドのグラフや、健康管理対象者の一覧と、その測定データを表示部２５に時系列的に表示させる構成としている。
【００２８】
図７に、メンタルヘルス管理支援システムを用いたメンタルヘルス管理支援方法のフローチャートを示す。
【００２９】
まず、細菌カウンタ１では、健康管理対象者の口腔内細菌数を測定し（Ｓ１）、次に、この口腔内細菌数データと、測定日時、および、健康管理対象者のＩＤ情報を携帯端末２に送信する（Ｓ２、Ｓ３）。
【００３０】
次に、携帯端末２では、送られてきたデータを記憶部１９に格納し、これらデータを管理端末３に送信する（Ｓ４、Ｓ５、Ｓ６）。
【００３１】
そして、管理端末３では、送信されたデータを記憶部２３に格納し、それらデータを解析し、その解析結果から、メンタルヘルスメッセージの作成を行い、携帯端末２に表示可能なように健康メッセージを送信する。管理端末３では、健康管理者の指示に従って、データを解析するとともに、表示部２５に対して、解析結果を表示する（Ｓ７〜Ｓ１０）。
【００３２】
図８に、携帯端末２の表示部２０に表示されるメンタルヘルスメッセージを示す。
【００３３】
メンタルヘルスメッセージは、データの解析結果に対応した内容となっている。例えば、細菌数の計測結果が減少傾向にある場合は、”良くなっています。今の調子で歯磨きを続けましょう”。というように、褒める内容のメッセージを表示する。
【００３４】
細菌数に変化がない場合は、”変わりありません。今より歯磨き頻度や、時間を増やしてみませんか”。というように、改善を促す内容のメッセージを表示する。
【００３５】
細菌数が増加傾向にある場合は、”悪くなっています。歯磨き頻度や時間を増やして習慣化していきましょう。”というように注意を喚起する内容のメッセージを表示する。
【００３６】
そして、細菌数が増加傾向にある場合には、それ以降のメッセージには、例えば、より注意を促すために、色を赤色に変えた状態でメッセージを表示するようにする。
【００３７】
管理端末３では、上記携帯端末２の表示部２０に表示されるメンタルヘルスメッセージを作成し、次に、携帯端末２に上記メンタルヘルスメッセージを送信するとともに、解析の結果が良くない場合、例えば、細菌数のデータが増加した状態から改善が見受けられない健康管理者をサーチして、要管理者として、健康管理室に呼び出しを行って、直接診断を行うのである。
【００３８】
口腔内の細菌数の増加の原因としては、歯周病や、虫歯といった口腔内の問題によるケースと、歯磨きを怠っているなどの生活習慣の乱れによるケースと、精神的ストレスによるケースなどが考えられるが、うつ病などの健康管理対象者は、生活習慣が乱れてしまう傾向にあることが知られている。そのため、健康管理者は、健康管理対象者の内で、口腔内の問題（細菌数の増加）がある者を要管理者として設定し、この要管理者に対しては、口腔内の問題なのか、あるいは、歯磨きを怠っているといった、生活習慣の乱れからくる問題なのか、について注意しながら直接診断を行う。
【００３９】
また、一般的に口腔内の細菌数に大きく影響を与える唾液は、口腔内の細菌や食物の残りかすを洗い流す「自浄作用」の役割を担っており、食事時が最も多く分泌し、就寝時が最も少ないことは公知の通りであり、唾液の分泌量の変化に応じ細菌数の一日の変動は、図１３の通り、朝の起床時が最も増加し、朝食、昼食、夕食前後で増加と減少を繰り返す一定の周期をもつサイクルを描くカーブとなる。
【００４０】
つまり、細菌カウンタでの口腔内の細菌数を、起床時の決まった時間に測定することで、測定値の定量的な絶対値に依存することなく、日常の測定値の平均変動幅から大きく乖離した測定された場合、食事や睡眠時間などの生活習慣の乱れが起きている可能性を示唆することができるものとして、健康管理者は要管理者に、生活習慣の悪化やメンタルヘルス不調に注意しながら診断を行うことも可能である。
【００４１】
そのほかにも、生活習慣が乱れているかどうかを示す指標として、健康管理対象者が口腔内の細菌数の測定を行わない場合も考えられるので、細菌カウンタの操作状況を解析することで、健康管理対象者の生活習慣の乱れを検出することも可能となる。
【００４２】
以上のように、個人のメンタル状況によって変動する口腔内の細菌数を細菌カウンタ１によってカウントし、これを携帯端末２を介して管理端末３に伝送し、管理端末３に細菌数を時系列的に表示させるので、この管理端末３の表示を確認すれば、個人のメンタル状況を適切に把握することができるのである。
【００４３】
さらに、細菌カウンタで測定するには、測定器に対し複数の手順通りの操作を行う必要がある。図１４の通り、これらは機械的に行う単純操作のため、繰り返し測定を行ううちに、操作のタイミングはほぼ一定となる。ところが、精神的ストレスを受ける等でメンタルの状況が変化するのに伴い、操作のタイミングも変化する。したがって、測定のたびに操作のタイミングを記録し、過去の操作タイミングとの変化から、個人のメンタル状況の変化を捉えることが可能である。
【００４４】
さて、上記メンタルヘルス管理支援システムの使用を開始するにあたって、健康管理対象者は、携帯端末２の入力部２４より、健康管理対象者のＩＤデータの登録を行う。
【００４５】
図１０（ａ）に登録される健康管理対象者のＩＤデータの一例を示す。
【００４６】
ＩＤデータには、健康管理対象者の氏名、ＩＤ番号、生年月日の他に、健康管理対象者の嗜好データが登録される。嗜好データとしては、健康管理対象者が楽しいと思う項目、たとえば、好きなスポーツや、好きな食べ物、趣味などを選択可能となっている。
【００４７】
また、１日の歯磨きの頻度や、１回の歯磨きの時間など、も入力するようになっている。このようなＩＤデータは、管理端末３にも入力される。
【００４８】
管理端末３では、上記のようなＩＤデータに基づいて、メンタルヘルスメッセージを作成する。
【００４９】
図１０（ｂ）、（ｃ）にメンタルヘルスメッセージの一例を示す。
【００５０】
メンタルヘルスメッセージには、計測した細菌数の絶対値を表示し、ここ１ヶ月の細菌数の変化量の推移を表示した上で、その解析結果をメッセージ表示します。そして、健康管理対象者の嗜好に応じたメッセージを作成します。例えば、サッカーが好きな人に、本日のサッカーのニュースを表示したり、音楽の好きな人に、本日のヒット曲名を、メッセージ表示することで、健康管理対象者の測定を促します。
【００５１】
つまり、メンタルヘルスメッセージを確認すれば、自分の嗜好に合う情報も入手できる状態とすることで、健康管理対象者に対して測定を促すようにしているのである。
【００５２】
また、健康管理対象者自身も、表示部２０でメンタルヘルスメッセージを確認した状態で、この画面を介して、最近行った楽しいことを選択的に入力可能にすることも好ましい。
【００５３】
つまり、うつ病など、メンタルヘルスを患った人は、過去に楽しかったことに興味を示せなくなる傾向があるため、このメッセージに対する回答データは、メンタルヘルスの状態を知る上では、貴重なデータとなる。口腔内の細菌数との相関を見ることで、より正確にメンタルヘルスの状況を検知可能となるのである。
【００５４】
（実施の形態２）
図１１、図１２は本発明の実施の形態２を示している。
この実施の形態では、口腔内の細菌数をカウントする細菌カウンタ１と、この細菌カウンタ１から細菌数が伝送される携帯端末２と、この携帯端末２から細菌数が伝送されるサーバ２６と、このサーバ２６に接続された管理端末３とを備えている。
【００５５】
つまり、この実施の形態では、先ず、細菌カウンタ１によって口腔内の細菌数をカウントし、次に、この細菌カウンタ１から携帯端末２に細菌数を伝送させ、その後、この携帯端末２からサーバ２６に細菌数を伝送させ、このサーバ２６によって細菌数を時系列的に集計し、次に、このサーバ２６から管理端末３に集計されたデータを伝送し、その後、この管理端末３に、例えば上述した図９のごとく、細菌数を時系列的に表示させるようにするものである。
【００５６】
サーバ２６の構成は、図１２に示すように、携帯端末２の通信部１７ａと電話回線で接続される通信部２７と、この通信部２７に接続された制御部２８と、この制御部２８に接続された健康データ管理部２９と、動作プログラムなどが格納された記憶部３０とにより構成されている。
【００５７】
このサーバ２６の動作は、図７に示した管理端末３の動作とほぼ同じ動作をするものである。
【００５８】
つまり、実施の形態１では健康管理対象者が１００人程度の小規模の状態で、それを管理端末３で分析、管理を行うようにしているが、学校や大規模な事業場では、細菌カウンタ１によってカウントされる健康管理対象者が１００人を超える大人数である場合には、この実施の形態のごとく、サーバ２６を用いることになる。
【産業上の利用可能性】
【００５９】
以上のように本発明は、口腔内の細菌数をカウントする細菌カウンタと、この細菌カウンタから細菌数が伝送される携帯端末と、この携帯端末から細菌数が伝送される管理端末と、を備え、前記管理端末は、前記携帯端末を介して伝送される細菌数を時系列的に表示させる構成としたので、個人のメンタル状況を適切に把握することができる。
【００６０】
すなわち、本発明であれば、個人のメンタル状況によって変動する口腔内の細菌数を細菌カウンタによってカウントし、これを携帯端末を介して管理端末に伝送し、管理端末に細菌数を時系列的に表示させるので、この管理端末の表示を確認すれば、個人のメンタル状況を適切に把握することができるのである。
【００６１】
したがって、たとえば、メンタルヘルス支援システムなどに、広く活用が期待されるものである。
【符号の説明】
【００６２】
１  細菌カウンタ
２  携帯端末
３  管理端末
４  細菌採取具
５  採取部
６  容器
７  操作部
８  モータ
９  測定チップ
１０  前面カバー
１１  測定電極
１２  制御部
１３  測定部
１４  電源部
１５  表示部
１６  通信部
１７ａ、１７ｂ  通信部
１８  制御部
１９  記憶部
２０  表示部
２１  通信部
２２  制御部
２３  記憶部
２４  入力部
２５  表示部
２６  サーバ
２７  通信部
２８  制御部
２９  健康データ管理部
３０  記憶部
【図１】
2015011489.tif 000003
【図２】
2015011489.tif 000004
【図３】
2015011489.tif 000005
【図４】
2015011489.tif 000006
【図５】
2015011489.tif 000007
【図６】
2015011489.tif 000008
【図７】
2015011489.tif 000009
【図８】
2015011489.tif 000010
【図９】
2015011489.tif 000011
【図１０】
2015011489.tif 000012
【図１１】
2015011489.tif 000013
【図１２】
2015011489.tif 000014
【図１３】
2015011489.tif 000015
【図１４】
2015011489.tif 000016